(57)【要約】    【課題】  有害鳥獣を撃退する撃退具を提供する。    【解決手段】  本体(10)は平面円形状でかつ側面円弧状をなすとともに、本体の先端部位には角状部分(12)が撞木状に左右に延びて形成され、本体には可撓性の線材(13)が接続されている一方、本体には起振器が内蔵されるとともに、起振器の振動によって本体が動き回るように本体の底面には円形部分(17)が円弧状に盛り上がり形成されており、本体が起振器の振動によって振動音を発しながら動き回ることにより本体及び線材が有害鳥獣に対して蛇の動きに似た刺激を与える。【選択図】  図３
2006006227.tif 000002
【特許請求の範囲】
【請求項１】
有害鳥獣に蛇の動きに似た刺激を与えて有害鳥獣を撃退する撃退具であって、
本体は平面円形状でかつ側面円弧状をなすとともに、該本体の先端部位には角状部分が撞木状に左右に延びて形成され、上記本体には可撓性の線材が接続されている一方、
上記本体には起振器が内蔵されるとともに、該起振器の振動によって上記本体が動き回るように上記本体の底面には円形部分が円弧状に盛り上がり形成されており、
上記本体が上記起振器の振動によって振動音を発しながら動き回ることにより上記本体及び線材が有害鳥獣に対して蛇の動きに似た刺激を与えるようにしたことを特徴とする有害鳥獣の撃退具。
【請求項２】
上記本体の先端部位には発光素子が設けられている請求項１記載の有害鳥獣の撃退具。    
【請求項３】
上記本体は黒色の外表面に蓄光性の円形部が分散して設けられている請求項１又は２記載の有害鳥獣の撃退具。
【請求項４】
上記線材は上記起振器又は発光素子に対して外部から電気信号を与える信号線で構成されている請求項１又は２記載の有害鳥獣の撃退具。
【発明の詳細な説明】
【技術分野】
【０００１】
本発明は有害鳥獣の撃退具に関し、例えばドバト、烏、ねずみ等の有害鳥獣を確実に撃退できるようにした器具に関する。
【背景技術】
【０００２】
例えば、飲食店や家庭等から出る生ごみの集積場所には烏が飛来して生ごみを食い散らかすという被害が発生し、又家庭のベランダ等にはドバトが飛来して洗濯物等を糞で汚すという被害も発生し、さらには家庭ではねずみが台所等に侵入して食料品を食い荒らし、あるいは部屋や倉庫の壁や柱をかじるという被害が発生している。
【０００３】
そこで、光センサー、赤外線センサー、圧電センサー等の各種センサーでねずみを検出し、音、振動、超音波、電気ショック、薬剤等、ドバト、烏、ねずみ等の有害鳥獣が忌避する刺激を与えて有害鳥獣を駆除する方法が種々提案されている（特許文献１、特許文献２）。
【特許文献１】特開昭５４−１３３１５４号公報
【特許文献２】実用新案登録第３０８８５１４号公報
【発明の開示】
【発明が解決しようとする課題】
【０００４】
本件発明者は有害鳥獣を撃退する方法を種々研究したところ、ドバト、烏、ねずみ等に蛇の動きに似た刺激を与えると確実に撃退できることを知見するに至った。
【０００５】
本発明はかかる点に鑑み、有害鳥獣を確実に撃退できるようにした有害鳥獣の撃退具を提供することを課題とする。
【課題を解決するための手段】
【０００６】
そこで、本発明に係る有害鳥獣の撃退具は、有害鳥獣に蛇の動きに似た刺激を与えて有害鳥獣を撃退する撃退具であって、本体は平面円形状でかつ側面円弧状をなすとともに、該本体の先端部位には角状部分が撞木状に左右に延びて形成され、上記本体には可撓性の線材が接続されている一方、上記本体には起振器が内蔵されるとともに、該起振器の振動によって上記本体が動き回るように上記本体の底面には円形部分が円弧状に盛り上がり形成されており、上記本体が上記起振器の振動によって振動音を発しながら動き回ることにより上記本体及び線材が有害鳥獣に対して蛇の動きに似た刺激を与えるようにしたことを特徴とする。
【０００７】
本発明の特徴の１つは本体をブーンと振動させながら上下左右に動き回らせ、それに伴って線材もクネクネと動き回らせるようにした点にある。
【０００８】
これにより、本体で蛇の頭部、線材で蛇の胴及び尻尾の動きに似た動きを得ることができ、ドバト、烏、ねずみに蛇の動きに似た刺激を与えることがてきる。しかも、本体のブーンという振動音あるいは本体や線材の床面と擦れる音によってドバト、烏、ねずみに蛇が動いている音に似た刺激を与えることができる。その結果、ドバト、烏、ねずみを非常に驚かせて確実に撃退できる。
【０００９】
ねずみの場合、暗い場所で徘徊することが多いので、光の刺激も重要である。そこで、本体の先端部位にはＬＥＤ等の各種の発光素子を設けるのがよい。さらに、本体は黒色の外表面に蓄光性又は蛍光性の円形部を分散して設けるようにすると、発光素子の光を受けて本体が部分的に円形に光るので、ねずみを確実に驚かすことができる。
【００１０】
また、ドバトや烏の場合、活動が昼間であるので、発光素子や蓄光性又は蛍光性の円形部は必ずしも設ける必要はない。
【００１１】
上述のように本体には電気系の回路や機構が設けられるので、線材はこれらの電気系統に電気信号を与える信号線を用いるのがよい。即ち、線材は起振器又は発光素子に対して外部から電気信号を与える信号線で構成されるのがよい。
【００１２】
本発明に係る撃退具は例えば光センサー、赤外線センサー、圧電センサー、音センサー等の各種センサーで撃退すべき対象を検出し、作動させるようにしてもよく、又タイマー等で一定時間毎に作動させるようにしてもよい。
【発明を実施するための最良の形態】
【００１３】
以下、本発明を具体例に基づいて詳細に説明する。図１ないし図３は本発明に係る有害鳥獣の撃退具の好ましい実施形態を示す。図において、撃退具は合成樹脂製の本体１０と本体１０から後方に延びる可撓性の線材１３とから構成され、線材１３は後述の起振器及び発光素子１４に対して外部から電気信号を与える信号線で構成されている。
【００１４】
この本体１０は平面円形状でかつ側面円弧状をなすとともに、その先端部位には角状部分１２が撞木状に左右に延びて形成した形態に製作されている。また、本体１０の先端部位中央には発光素子１４が取付けられ、又本体１０の外表面１１は黒色をなし、蓄光性又は蛍光性の円形シール（円形部）１５が分散して貼りつけられている。
【００１５】
また、本体１０には小型の起振器（図示せず）が内蔵され、又本体１０の底面１６には起振器の振動によって本体１０が円滑に動き回るように小径の円形部分１７が円弧状に盛り上がり形成されている。
【００１６】
例えば、ねずみを駆除する場合、駆除すべき領域に本例の撃退具を設置し、線材１３のプラグをねずみの検出装置又はタイマーを内蔵した制御装置（図示せず）に接続する。ねずみが検出され、あるいは一定時間が経過すると、本体１０の起振器及び発光素子１４に電気信号が与えられる。
【００１７】
すると、起振器が振動を発生し、本体１０の底面に円形部分１７が盛り上がり形成されているので、本体１０はブーンという振動音を発しながら、図３に示されるように、左右に動き回り、あるいは上方にジャンプし、それに伴って線材１３もクネクネと動き回る。また、本体１０の先端の発光素子１４が発光あるいは点滅し、その光（又は太陽光、照明光）を受けて円形シール１５も光る。
【００１８】
このように本体１０がブーンという振動音を発しながら動き回るとともに、線材１３が。床面との間の擦れ音を発しながらクネクネと左右に動くので、ねずみに対して蛇の動きに似た刺激、即ちねずみが忌避する刺激を与えることができる。同時に、本体１０から発光素子１４から光が発せられるとともに、円形シール１５も発光するので、これによってもねずみを驚かせる、つまりねずみが忌避する刺激を与えることができ、ねずみを駆除することができる。
【００１９】
ドバトを駆除する場合、上記と同様に、ベランダ等ドバトを駆除すべき場所に本例の撃退具を設置すればよく、ドバトが検知され、あるいは一定時間が経過すると、本体１０がブーンという振動音を発しながら動き回るとともに、線材１３が擦れ音を発しながらクネクネと左右に動くので、ドバトに対して蛇の動きに似た刺激、即ちドバトが忌避する刺激を与え、ドバトを駆除することができる。なお、ドバトの駆除は昼間になされるので、発光素子１４や円形シール１５の発光はあってもなくてもよい。
【図面の簡単な説明】
【００２０】
【図１】本発明に係る有害鳥獣の撃退具の好ましい実施形態を示す上方からの斜視図である。
【図２】上記実施形態における下方からの斜視図である。
【図３】上記実施形態における動作を模式的に示す図である。
【符号の説明】
【００２１】
１０      本体
１１      外表面
１２      角状部分
１３      線材
１４      発光素子
１５      円形シート（円形部）
１６      底面
１７      円形部分
【図１】
2006006227.tif 000003
【図２】
2006006227.tif 000004
【図３】
2006006227.tif 000005